(57)【特許請求の範囲】
【請求項１】
第一のコイルと第一のコンデンサとを並列に接続した第一のトラップ回路と、第二のコイルと第二のコンデンサとを並列に接続した第二のトラップ回路とを備え、前記第一のトラップ回路と前記第二のトラップ回路とを直列に接続するとともに、信号伝送路に直列に設け、前記第一のトラップ回路のトラップ周波数と前記第二のトラップ回路のトラップ周波数とをＦＭ放送帯の互いに異なる周波数に設定したことを特徴とするテレビジョンチューナーの入力回路。
【請求項２】
地上波テレビジョン信号を受信するときに導通し、ケーブルテレビジョン信号を受信するときに非導通となるスイッチダイオードを有し、前記スイッチダイオードを、直列に接続された前記第一のトラップ回路及び前記第二のトラップ回路に、高周波的に並列に接続したことを特徴とする請求項１記載のテレビジョンチューナーの入力回路。
【請求項３】
アンテナ同調回路の同調バンドを切替えるためのバンド切替電圧を供給するバンド切替電圧端子と前記スイッチダイオードの一端に電圧を供給するトラップ電圧端子とを備え、前記バンド切替電圧を前記アンテナ同調回路を経由して前記スイッチダイオードの他端に供給されるようにし、前記トラップ電圧端子に供給する電圧を切替え、前記スイッチダイオードを導通又は非導通に切替えることを特徴とする請求項２記載のテレビジョンチューナーの入力回路。
【発明の詳細な説明】
【０００１】
【発明の属する技術分野】
本発明は、テレビジョンチューナーの入力回路に関し、また特に、いわゆる地上波テレビジョン信号あるいはケーブルテレビジョン（以下ＣＡＴＶという）信号を受信するのに好適なテレビジョンチューナーの入力回路に関する。
【０００２】
【従来の技術】
従来のテレビジョンチューナーの入力回路（以下、単に入力回路という）を図３に示す。図３において、入力回路は、テレビジョンの中間周波数帯の信号を減衰するＩＦトラップ回路３１、ＦＭ放送帯の信号（ＦＭ放送信号）を減衰するＦＭトラップ回路３２及びアンテナ同調回路３３とを有している。
そして、ＩＦトラップ回路３１の入力端３１ａが地上波テレビジョンを受信するアンテナ、又は、ＣＡＴＶ信号が送られてくるケーブル（共に図示せず）に接続され、アンテナ同調回路３３の出力端３３ａが高周波増幅器（図示せず）に接続されている。
なお、ＣＡＴＶでは、ＦＭ放送帯（例えば、米国仕様では８８ＭＨｚ〜１０８ＭＨｚ）にもチャンネルが割り当てられて使用されている。
ＦＭトラップ回路３２は、地上波テレビジョン信号を受信する場合に妨害になるＦＭ放送信号を減衰させる回路であり、並列に接続された第一のコイル３４ａと第一のコンデンサ３４ｂとからなり、信号伝送路に直列に設けられた第一のトラップ回路３４と、並列に接続された第二のコイル３５ａ及び第二のコンデンサ３５ｂと、これに直列接続された第三のコンデンサ３５ｃからなって、信号伝送路とグランドとの間に設けられた第二のトラップ回路３５とを有している。
そして、第一のトラップ回路３４の一端がＦＭトラップ回路３２の入力端３２ａに接続され、他端が直流阻止用コンデンサ３６を介してＦＭトラップ回路３２の出力端３２ｂに接続されている。
【０００３】
なお、米国仕様のテレビジョンチューナーにおいては、第一のトラップ回路３４のトラップ周波数は、例えば９５ＭＨｚに設定され、第二のトラップ回路３５のトラップ周波数は、例えば１０５ＭＨｚに設定されている。
また、第一のスイッチダイオード３７のカソードが入力端３２ａに接続され、アノードが出力端３２ｂに接続されており、第一のスイッチダイオード３７と第一のトラップ回路３４とが並列に接続されている。また、入力端３２ａとグランドとの間に抵抗３８が設けられることによって、第一のスイッチダイオード３７のカソードが、この抵抗３８を介して、グランドに接続されている。
【０００４】
次に、第二のトラップ回路３５は、第二のスイッチダイオード３９を介して、信号伝送路に直列に設けられた第一のトラップ回路３４の他端に接続されることによって、信号伝送路とグランドとの間に接続されている。
そして、第二のスイッチダイオード３９のアノードと並列に接続された第二のコイル３５ａと第二のコンデンサ３５ｂとの接続点と、ＦＭトラップ電圧端子４０との間に給電抵抗４１が接続されている。
なお、ＦＭトラップ回路３２の出力端３２ｂに接続されているアンテナ同調回路３３には、ハイバンド切替端子４２及びローバンド切替端子４３からバンド切替電圧が供給されるようになっており、これによって地上波テレビジョン信号又はＣＡＴＶ信号を、それぞれローバンド及びハイバンドのテレビジョン信号に分割して同調するようになっている。
【０００５】
以上のような構成において、地上波テレビジョン信号を受信する場合においては、ＦＭトラップ回路３２における第一のトラップ回路３４及び第二のトラップ回路３５を共に機能させ、また、ＣＡＴＶ信号を受信する場合においては、これらの第一のトラップ回路３４及び第二のトラップ回路３５を共に機能させないようにしている。以下、この動作について詳述する。
まず、地上波テレビジョン信号を受信する場合は、ＦＭトラップ電圧端子４０に、例えば５Ｖの電圧を印加する。すると、第二のスイッチダイオード３９には順方向に電圧が印加されるため、導通状態になり、抵抗３８には電圧降下が生じる。
一方、アンテナ同調回路３３には、ハイバンド切替端子４２又はローバンド切替端子４３から、バンド切替電圧が供給されており、このバンド切替電圧は、アンテナ同調回路３３を経由して、第一のスイッチダイオード３７のアノードにも伝わるようになっている。
【０００６】
ここで、第一のスイッチダイオード３７のカソードに加わる電位に対し、アノードに加わる電位の方が低くなるように設定されている。
すると、第一のスイッチダイオード３７には逆方向の電圧が印加されるので、非導通状態になるので、図３に示すＦＭトラップ回路３２は、ＦＭ放送帯の周波数においては、図４に示す等価回路になる。
ここで、図４における第二のトラップ回路３５のコイル３５ｄは、図３における第二のコイル３５ａと第二のコンデンサ３５ｂとによるトラップ周波数における等価的なインダクタンスとなるコイルを示している。
この結果、ＦＭ放送信号は、第一のトラップ回路３４及び第二のトラップ回路３５によって減衰され、地上波テレビジョン信号の受信時における妨害を排除している。
【０００７】
次に、ＣＡＴＶ信号を受信する場合においては、ＦＭトラップ電圧端子４０には電圧を印加せず、ハイバンド切替端子４２又はローバンド切替端子４３にバンド切替電圧を印加する。
すると、第一のスイッチダイオード３７には、順方向の電圧が印加されるので、導通状態になり、抵抗３８に電圧降下が生じる。その結果、第二のスイッチダイオード３９には逆方向の電圧が印加されるため、非導通状態になる。
従って、ＦＭトラップ回路３２の入力端３２ａと出力端３２ｂとは、第一のスイッチダイオード３７によって短絡されるとともに、第二のトラップ回路３５は第二のスイッチダイオード３９によって信号伝送路から切り離されて、第一のトラップ回路３４及び第二のトラップ回路３５が無効になる。
この結果、ＦＭ放送帯に割り当てられたＣＡＴＶ信号も受信できる。
【０００８】
【発明が解決しようとする課題】
ところで、第二のトラップ回路３５のように、信号伝送路とグランドとの間に設けるトラップ回路は、本来ならばコイルとコンデンサとのみによる直列共振回路で構成できるが、その場合にトラップ回路のＱを高くするには、コイルのインダクタンスを大きくする必要がある。
しかし、そのためにコイルのサイズが大きくなってしまうので、第二のコイル３５ａに対して並列に第二のコンデンサ３５ｂを設けていた。その結果、部品が増えてしまうという問題があった。
また、ＣＡＴＶ信号の受信をする場合には、この第二のトラップ回路３５を信号伝送路から切り離すために、第二のスイッチダイオード３９を別に設けなければならず、これによっても部品が増加するという問題があった。
本発明は、これらの問題を解決するもので、その目的は、部品数の少ない、簡単な回路で、しかもＱの高いＦＭトラップ回路を実現することにある。
【０００９】
【課題を解決するための手段】
上記問題を解決するために、本発明のテレビジョンチューナーの入力回路は、第一のコイルと第一のコンデンサとを並列に接続した第一のトラップ回路と、第二のコイルと第二のコンデンサとを並列に接続した第二のトラップ回路とを備え、第一のトラップ回路と第二のトラップ回路とを直列に接続するとともに信号伝送路に直列に設け、第一のトラップ回路のトラップ周波数と第二のトラップ回路のトラップ周波数とをＦＭ放送帯の周波数に設定した。
【０００１０】
また、本発明のテレビジョンチューナーの入力回路は、地上波テレビジョン信号を受信するときに導通し、ケーブルテレビジョン信号を受信するときに非導通となるスイッチダイオードを有し、スイッチダイオードを、直列に接続された第一のトラップ回路及び第二のトラップ回路に、高周波的に並列に接続した。
【０００１１】
また、本発明のテレビジョンチューナーの入力回路は、バンド切替電圧を供給するアンテナ同調回路とスイッチダイオードの一端に電圧を供給するトラップ電圧端子とを備え、バンド切替電圧はアンテナ同調回路を経由してスイッチダイオードの他端に供給されるようにし、トラップ電圧端子に供給する電圧によって、スイッチダイオードを導通又は非導通にするようにした。
【０００１２】
【発明の実施の形態】
本発明のテレビジョンチューナーの入力回路（以下、単に入力回路という）を図１に示す。図１において、入力回路は、テレビジョンの中間周波数帯の信号を減衰するＩＦトラップ回路１、ＦＭ放送帯の信号（ＦＭ放送信号）を減衰するＦＭトラップ回路２及びアンテナ同調回路３とを有している。
そして、ＩＦトラップ回路１の入力端１ａが地上波テレビジョン信号を受信するアンテナ、又は、ＣＡＴＶ信号が送られてくるケーブル（共に図示せず）に接続され、アンテナ同調回路３の出力端３ａが高周波増幅器（図示せず）に接続されている。
なお、ＣＡＴＶでは、ＦＭ放送帯（例えば、米国仕様では８８ＭＨｚ〜１０８ＭＨｚ）にもチャンネルが割り当てられて使用されている。
ＦＭトラップ回路２は、地上波テレビジョン信号を受信する場合に妨害になるＦＭ放送信号を減衰させる回路であり、並列に接続された第一のコイル４ａと第一のコンデンサ４ｂからなる第一のトラップ回路４と、並列接続された第二のコイル５ａと第二のコンデンサ５ｂからなる第二のトラップ回路５とが一端同士で直列に接続されるとともに、信号伝送路に直列に設けられている。
そして、第一のトラップ回路４の他端がＦＭトラップ回路２の入力端２ａに接続され、第二のトラップ回路５の他端がＦＭトラップ回路２の出力端２ｂに接続されている。なお、米国仕様のテレビジョンチューナーにおいては、第一のトラップ回路４のトラップ周波数は、例えば９５ＭＨｚに設定され、第二のトラップ回路５のトラップ周波数は、例えば１０５ＭＨｚに設定されている。
【００１３】
また、入力端２ａと出力端２ｂとの間に、直列に接続された直流阻止用コンデンサ６とスイッチダイオード７が設けられている。このことによって、スイッチダイオード７は、直列に接続された第一のトラップ回路４及び第二のトラップ回路５に対して高周波的に並列に設けられている。なお、スイッチダイオード７のアノードが出力端２ｂに接続されている。
次に、直流阻止用コンデンサ６とスイッチダイオード７との接続点に給電抵抗８の一端が接続されており、他端がＦＭトラップ電圧端子９に接続されている。なお、ＦＭトラップ回路２の出力端２ｂに接続されているアンテナ同調回路３には、ハイバンド切替端子１０及びローバンド切替端子１１からバンド切替電圧が供給されるようになっており、これによってテレビジョン信号又はＣＡＴＶ信号を、それぞれローバンド及びハイバンドのテレビジョン信号に分割して同調するようになっている。
【００１４】
以上のような構成において、地上波テレビジョン信号を受信する場合においては、第一のトラップ回路４と第二のトラップ回路５とを機能させ、また、ＣＡＴＶ信号を受信する場合においては、第一のトラップ回路４と第二のトラップ回路５とを機能させないようにしている。以下、この動作について詳述する。
まず、地上波テレビジョン信号を受信する場合は、スイッチダイオード７のカソードに、抵抗８を介してＦＭトラップ電圧端子９から、例えば５Ｖの電圧を印加する。一方、アンテナ同調回路３には、ハイバンド切替端子１０又はローバンド切替端子１１から、バンド切替電圧が供給されており、このバンド切替電圧は、アンテナ同調回路３を経由して、スイッチダイオード７のアノードにも加わるようになっている。このとき、スイッチダイオード７のアノードに加わる電圧は、スイッチダイオード７のカソードに加わる電圧よりも小さくなるように、あらかじめ設定されている。
よって、スイッチダイオード７には逆方向に電圧が印加されるので非導通状態になり、図１に示すＦＭトラップ回路２は図２に示す等価回路になる。
この結果、ＦＭ放送信号は第一のトラップ回路４及び第二のトラップ回路５によって減衰され、地上波テレビジョン信号の受信時における妨害を排除できる。しかも、二つのトラップ回路４及び５は、それぞれ並列共振回路で構成されているので、部品数も少なくなり、第一のコイル４ａ及び第二のコイル５ａのインダクタンスの値、従ってコイルの形状を小さくしてもＱを高くできるので、大きな減衰が得られる。
【００１５】
次に、ＣＡＴＶ信号を受信する場合においては、ＦＭトラップ電圧端子９には電圧を印加せず、ハイバンド切替端子１０又はローバンド切替端子１１にバンド切替電圧を印加する。
すると、スイッチダイオード７には順方向の電圧が印加され、導通状態になる。従って、ＦＭトラップ回路２の入力端２ａと出力端２ｂとは、スイッチダイオード７によって短絡されるので、ＦＭトラップ回路２が無効になる。
この結果、ＦＭ放送帯に割り当てられたＣＡＴＶ信号も受信できるようになる。そして、ＣＡＴＶ信号を受信するときは、ＦＭトラップ回路２を無効にするには、スイッチダイオード７を一個するだけで良いので、部品数も少なくなる。
なお、地上波テレビジョン信号のみを受信するチューナーの場合には、スイッチダイオード７等を削除して、第一のトラップ回路４及び第二のトラップ回路５のみを信号伝送路に設けるだけで良く、部品数は少なくなる。
【００１６】
【発明の効果】
以上のように、本発明のテレビジョンチューナーの入力回路は、第一のコイルと第一のコンデンサとを並列に接続した第一のトラップ回路と、第二のコイルと第二のコンデンサとを並列に接続した第二のトラップ回路とを備え、第一のトラップ回路と第二のトラップ回路とを直列に接続するとともに信号伝送路に直列に設け、第一のトラップ回路のトラップ周波数と第二のトラップ回路のトラップ周波数とをＦＭ放送帯の周波数に設定することで、より部品数の少ない、簡単な回路で高いＱを得ることができる。
【００１７】
また、本発明のテレビジョンチューナーの入力回路は、地上波テレビジョン信号を受信するときに導通し、ケーブルテレビジョン信号を受信するときに非導通となるスイッチダイオードを有し、スイッチダイオードを、直列に接続された第一のトラップ回路及び第二のトラップ回路に、高周波的に並列に接続したことで、より簡単な回路で地上波テレビジョン信号とＣＡＴＶ信号とを受信することができる。
【００１８】
また、本発明のテレビジョンチューナーの入力回路は、バンド切替電圧を供給するアンテナ同調回路とスイッチダイオードの一端に電圧を供給するトラップ電圧端子とを備え、バンド切替電圧はアンテナ同調回路を経由してスイッチダイオードの他端に供給されるようにし、トラップ電圧端子に供給する電圧によって、スイッチダイオードを導通又は非導通にするようにしたので、入力同調回路に供給されるバンド切替電圧を利用して、簡単に地上波テレビジョン信号の受信状態とＣＡＴＶ信号の受信状態とに切り替えることができる。
【図面の簡単な説明】
【図１】本発明のテレビジョンチューナーの入力回路の回路図である。
【図２】本発明のテレビジョンチューナーの入力回路の、地上波テレビジョン信号を受信したときの等価回路図である。
【図３】従来のテレビジョンチューナーの入力回路の回路図である。
【図４】従来のテレビジョンチューナーの入力回路の、地上波テレビジョン信号を受信したときの等価回路図である。
【符号の説明】
１，  ＩＦ  トラップ回路
１ａ，２ａ  入力端
２  ＦＭトラップ回路
２ｂ，３ａ  出力端
３  アンテナ同調回路
４  第一のトラップ回路
４ａ  第一のコイル
４ｂ  第一のコンデンサ
５  第二のＦＭトラップ回路
５ａ  第二のコイル
５ｂ  第二のコンデンサ
６  直流阻止用コンデンサ
７  スイッチダイオード
８  給電抵抗
９  ＦＭトラップ電圧端子
１０  ハイバンド切替端子
１１  ローバンド切替端子
【図１】
0003558848.tif 000002
【図２】
0003558848.tif 000003
【図３】
0003558848.tif 000004
【図４】
0003558848.tif 000005